(57)【要約】【課題】可搬性に優れ、教育用としても簡便に製作でき、地震波形が観測できるようにする。【解決手段】底面が偏平で上端に底面より小径の口を有する容器１に収納し携帯可能にした簡易地震計であって、容器１の中に口から垂直にたてて固定される円筒状体２と、該円筒状体２を容器１の口に固定する固定手段５と、円筒状体２の下端部の外周に巻いてコイル３を形成し上端部から信号の検出線として取り出される導線４と、円筒状体２の中のコイル３の内側に吊り下げられる棒磁石９と、棒磁石９を円筒状体２の上端部の開口から吊り下げる弾性体１０、１１とからなる。密閉容器に収まる構造で可搬性に優れ、材料が簡単に調達でき教育用としても簡便に製作でき、地震波形が観測できる。【選択図】      図１
2004184147.tif 000002
【特許請求の範囲】
【請求項１】
底面が偏平で上端に底面より小径の口を有する容器に収納し携帯可能にした簡易地震計であって、前記容器の中に前記口から垂直にたてて固定される円筒状体と、該円筒状体を前記容器の口に固定する固定手段と、前記円筒状体の下端部の外周に巻いてコイルを形成し上端部から信号の検出線として取り出される導線と、前記円筒状体の中の前記コイルの内側に吊り下げられる棒磁石と、前記棒磁石を前記円筒状体の上端部の開口から吊り下げる弾性体とからなることを特徴とする簡易地震計。
【発明の詳細な説明】
【０００１】
【発明の属する技術分野】
本発明は、底面が偏平で上端に底面より小径の口を有する容器に収納し携帯可能にした簡易地震計に関する。
【０００２】
【従来の技術】
簡易地震計としては、例えば３本以上の紐により揺動自在に感震揺動板を吊り下げて所定の点を中心として揺動自在な中空軸を固着し、中空軸の垂直軸線とは離れた位置を回転中心とする回転記録板を設けて時間経過とともに回転させ、中空軸の中空部の上下方向に揺動可能な記録具を装着してその重さによって回転記録板上の記録紙に感震揺動板の振動方向および振動度合いを記録するものが提案されている（例えば、実用新案文献１参照）。
【０００３】
また、単純な構造の速度型地震計として、円筒形のコイルと永久磁石との組み合わせにより、固定した円筒形のコイルの中に永久磁石をバネで吊り下げるか、または固定した永久磁石の周囲に被せるように円筒形のコイルをバネで吊り下げるものがあり、教育目的の簡易地震計として、フィルムケースと教材用棒磁石を用いて、輪ゴムをつなげて使用するものが知られている（日本地震学会のウエブページ上で公開、大学での基礎実験などに利用）。
【０００４】
【特許文献１】
実用新案登録第３０７７９０４号明細書
【０００５】
【発明が解決しようとする課題】
しかし、上記の簡易地震計のうち、前者のものは、回転記録板を回転させる回転手段が必要であり、構造的にもそれほど単純な作業により簡単に製作できるというものではない。また、後者のものは、３脚などを使って永久磁石や円筒形のコイルを吊り下げ、下においた円筒形のコイルや永久磁石との間でうまく納まるようにするため、セッティングに時間がかかり、設置に場所をとる、そのために可搬性に乏しいなどの問題を有している。
【０００６】
【課題を解決するための手段】
本発明は、上記課題を解決するものであって、可搬性に優れ、教育用としても簡便に製作でき、地震波形が観測できるようにするものである。
【０００７】
そのために本発明は、底面が偏平で上端に底面より小径の口を有する容器に収納し携帯可能にした簡易地震計であって、前記容器の中に前記口から垂直にたてて固定される円筒状体と、該円筒状体を前記容器の口に固定する固定手段と、前記円筒状体の下端部の外周に巻いてコイルを形成し上端部から信号の検出線として取り出される導線と、前記円筒状体の中の前記コイルの内側に吊り下げられる棒磁石と、前記棒磁石を前記円筒状体の上端部の開口から吊り下げる弾性体とからなることを特徴とするものである。
【０００８】
【発明の実施の形態】
以下、本発明の実施の形態を図面を参照しつつ説明する。図１は本発明に係る簡易地震計の実施の形態を示す図であり、１はボトル、２はパイプ、３はコイル、４は導線、５はスポンジテープ、６〜８は固定テープ、９は棒磁石、１０、１１は弾性紐を示す。
【０００９】
図１において、ボトル１は、例えばペットボトルや空きビンなどを用いた、底面が偏平で上端に底面より小径の口を有する容器である。パイプ２は、ボトル１の中に上端の口から垂直に立てて固定し、その下端部の外周に、例えばエナメル線からなる導線４を巻いたコイル３を有し、さらに、そのコイル３の内側に地震に反応して揺動するように吊り下げられた棒磁石９を有する、例えば樹脂製のパイプ（塩化ビニル管）などの円筒状体である。スポンジテープ５は、滑り止めとしてパイプ２の上端部の外周に巻いてボトル１の上端部の開口との隙間を埋め、パイプ２をボトル１の中に垂直に固定する手段である。
【００１０】
パイプ２には、図１（Ｂ）に示すように下端部の外周に固定テープ６と共に導線４によりコイル３が巻かれ、その導線４は、上端部で固定テープ７、８により固定され両端が検出線として取り出される。そして、パイプ２の中には、図１（Ｃ）に示すように矢印Ｙに沿って上端部の開口からコイル３の内側に、例えば弾性紐１０、１１により棒磁石９が吊り下げられる。弾性紐１０、１１は、例えば輪ゴムであり、図１（Ｃ）に示すようにＸの部分から切って、先端をパイプ２の上端部の開口に固着することにより、棒磁石９をコイル３の内側まで吊り下げる。
【００１１】
作り方は、まず、図１（Ｂ）に示すようにパイプ２の下端部の外周に固定テープ６と共にコイル３を形成し、パイプ２の上端部で導線４を固定テープ７、８により固定して検出線として取り出す。このとき、コイル３の巻き数を多くすればそれだけ地震計の感度は良くなる。導線４のエナメル線は、両端を紙ヤスリ等で擦ってコーティングを剥がしておく。また、輪ゴム（弾性紐１０、１１）を２つ互いに結び付け、図１（Ｃ）に示すように一方の輪ゴム（弾性紐１０）に棒磁石９を縦に入れ、固定テープなどで止める。
【００１２】
そして、棒磁石９のない他方の輪ゴム（弾性紐１１）の上方（Ｘ）を切って、棒磁石９を図１（Ｂ）に示すパイプ２の上端部の開口から矢印Ｙに沿ってコイル３の内側、例えば棒磁石９の先端が下から約１ｃｍのところまで吊り下げるようにして弾性紐１１の先端をパイプ２の上端部開口に固定テープなどで固定する。しかる後、パイプ２の上端部の外周にスポンジテープ５を巻き付けて図１（Ａ）に示すようにボトル１内に上から落として垂直に立てるようにする。
【００１３】
上記地震計を地面に固定して置くことにより、地面の揺れを導線４から電気信号として取り出すことができ、ペンレコーダーなどで記録したり、パソコンのマイクの入力端子に接続して波形を観ることができる。また、音楽編集ソフトを使ったり北海道立理科教育センターが提供している「音オシロ」というソフトで観ることができる。
【００１４】
なお、本発明は、上記実施の形態に限定されるものではなく、種々の変形が可能である。例えば上記実施の形態では、パイプの上端部の開口から輪ゴムを使って棒磁石を吊り下げるようにしたが、ゴム紐やコイルバネなど他の紐状、線状の弾性体を使うことができ、途中までは紐で紐の下端にゴム紐やコイルバネで棒磁石を吊り下げるようにしてもよい。また、容器としては、ペットボトルや空きビンなどを用いたが、特に形状や材質に特定されるものではなく、フラスコや徳利、花瓶のような形状のものであってもよいし、材質も合成樹脂、ガラスだけでなく陶器、鉄、ボウル紙などであってもよい。さらに、パイプの固定手段としてスポンジテープを用いたが、発砲スチロールや粘度、ダンボールその他の固定手段をもちいてもよい。
【００１５】
【発明の効果】
以上の説明から明らかなように、本発明によれば、底面が偏平で上端に底面より小径の口を有する容器に収納し携帯可能にした簡易地震計であって、容器の中に口から垂直にたてて固定される円筒状体と、該円筒状体を容器の口に固定する固定手段と、円筒状体の下端部の外周に巻いてコイルを形成し上端部から信号の検出線として取り出される導線と、円筒状体の中のコイルの内側に吊り下げられる棒磁石と、棒磁石を円筒状体の上端部の開口から吊り下げる弾性体とからなるので、密閉容器に収まる構造で可搬性に優れ、材料が簡単に調達でき教育用としても簡便に製作でき、地震波形が観測できる。しかも、吊り下げた棒磁石と弾性体全体が円筒状体（パイプ）の中に入っているため、横方向の揺れがあっても棒磁石が横へずれるといったことも生じない。また、専用増幅器なども必要とせず、パソコンなどにより信号を表示して観察することができる。
【図面の簡単な説明】
【図１】本発明に係る簡易地震計の実施の形態を示す図である。
【符号の説明】
１…ボトル、２…パイプ、３…コイル、４…導線、５…スポンジテープ、６〜８…固定テープ、９…棒磁石、１０、１１…弾性紐
【図１】
2004184147.tif 000003